(57)【要約】【課題】  入浴用車椅子にリクライニング機構と昇降装置を設け、両機構が独立可動する事と、入浴利用者の身体負担軽減と入浴介助者の労働軽減が出来る入浴用車椅子。【解決手段】  入浴用車椅子のフレームが可動装置となる事によってリクライニングの傾斜角に添って着座シートと足掛けが連動する。又リクライニングの傾斜角は任意の位置で固定出来る。昇降装置は昇降バネの反発力により着座シートの沈下速度制御と、持ち上げ時の省力化が出来る。昇降位置は任意の位置で固定できる。入浴時の傾斜角と昇降位置は浴槽内の水位によって調整出来、入浴利用者の体形に合わせられる。【選択図】図１
2007275509.tif 000002
【特許請求の範囲】
【請求項１】
車椅子の車体下部に着座シートの昇降制御用のバネを設け、バネの反発力を利用した沈下速度の制御と持ち上げ時の操作加重を軽減する昇降バネ装置。
【請求項２】
車椅子本体を形成している背もたれフレームをリクライニング可動する事によって、着座部及び足掛け部が連動し傾斜角に合った位置に可動するリクライニング連動装置。
【請求項３】
着座部が沈下する時フレームが折可動し昇降制御用バネを引っ張る折可動フレーム。
【請求項４】
昇降及びリクライニングの位置を任意の位置で固定出来る固定装置。
【請求項５】
洗体時及び清拭時、回転させ着座シート横に位置する安全レバー。
【発明の詳細な説明】
【技術分野】
【０００１】本発明は高齢者社会を迎え、病院や老人ホーム等各施設で使用される入浴用の車椅子に関するものである。
【背景技術】
【０００２】従来病院や老人ホーム等の各施設で、スロープや昇降リフトが設置されている浴槽では、入浴用の車椅子が使用されているが、リクライニング機構が無い物や、リクライニング機構が装置されている物でも昇降装置が無いなどの問題があった。又リクライニングの傾斜固定位置が水平位置より固定出来ないなどの不便さや、入浴者の体を安定させる事が難しい事と、入浴介助者の作業負担が大きいなど、入浴者、介助者両者に負担が大きいと言う問題があった。
【発明の開示】
【発明が解決しようとする課題】
【０００３】発明が解決しようとする課題は、入浴用車椅子にリクライニング機構並びに昇降装置を設け入浴者に負担がかからず、入浴介助者の作業がスムーズで効率的な入浴介助及び洗体が出来る入浴用車椅子。【０００４】そこで本発明の目的は入浴用の車椅子に傾斜角度を任意に固定出来るリクライニング装置と、降下及び上昇位置を任意に固定出来る昇降装置、入浴者の体を固定するシートベルト及び入浴介助者の労力を軽減する昇降引っ張りバネを装置した入浴用車椅子。
【課題を解決するための手段】
【０００５】前記課題を達成するため本発明に係る入浴用車椅子は、金属及び樹脂で形成され、入浴介助者が入浴者を車椅子に乗せたまま浴槽に入り、背もたれ部背面に設けられているリクライニング用のレバーを握り、リクライニングを作動させる。このリクライニングは任意の位置で固定され入浴者の体形等に合わせられる。又昇降装置はリクライニング装置の背もたれ部に設けられているレバーを握ると入浴者の体重によって降下する。降下速度並びに降下位置は、昇降引っ張りバネによって降下速度が制御出来、又昇降位置は昇降固定ピンにより任意の位置で固定される。
【発明の効果】
【０００６】入浴用車椅子にリクライニング装置及び昇降装置を設け、背もたれを傾斜させた時に浴槽の水位に応じてリクライニング傾斜角度を固定し入浴者の頭部が水没することは無い。又昇降装置は沈下速度を引っ張りバネの作用により緩やかな沈下速度となり入浴者に負担がかからない。並びに座席位置を任意の位置に上昇させる時、引っ張りバネの反作用によって軽く持ち上がり入浴介護者に負担がかからない。
【発明を実施するための最良の形態】
【０００７】      以下、添付図面に基づいて本発明の実施例を説明する。
図１は、本発明に係る入浴用車椅子の一例を示す物である。この入浴用車椅子は金属又は樹脂で形成し、入浴者が着座する、着座部２と背もたれ部１並びに昇降装置によって形成されている。着座部に入浴者の腰部が固定出来るシートベルト５及び入浴者が掴れる安全レバー７、９、と足掛け３が装着されている。【０００８】１の背もたれは１０のリクライニングレバーを握ることにより１２のワイヤーケーブルが引っ張られる。任意の位置まで１を傾斜させレバーを離す、この作動によって１８の位置固定装置に開いている穴に固定ピンが挿入され位置を固定する。挿入穴の位置によって背もたれのリクライニング傾斜位置が任意の傾斜位置で固定する。【０００９】リクライニング傾斜位置を固定した後、１の背面に装置されている１３のレバーを握ると１５のワイヤーケーブルが作動し、昇降バネ２０，２１の間に装着されている２５の昇降固定装置に開いている穴にピンが挿入され、任意の昇降位置で固定できる。又昇降装置とリクライニング装置は独立稼動する。
【実施例】
【００１０】図２は本発明に使用する入浴用車椅子装置の一例である。
１０のレバーでリクライニングさせ任意の傾斜位置に固定する。リクライニング傾斜位置は水平位置までの傾斜が可能である。又リクライニング傾斜位置に連動して２の着座部及び３の足掛け部がリクライニング傾斜角に添った角度に作動し入浴者の体が安定する。又足掛け部３はリクライニング傾斜に連動せず、独立稼動も可能である。浴槽内ではお湯の浮力の為入浴者の体が安定しないので５のシートベルトを装着し安定させる。【００１１】昇降装置は１３のレバーを握ると１５のワイヤーケーブルが作動し入浴者の体重によって沈下する。沈下する時フレームに取り付けられている２０と２１のバネの片側を２２，２３の引張フレームが２０，２１のバネを引っ張り沈下速度が制御できる。昇降位置が任意の位置になった時１３のレバーを離し２５の昇降位置固定装置に開いている穴にピンが挿入され昇降位置が固定される。又浴槽内や体を拭く時は７，９の安全レバーを回転させ下向きにする。【００１２】２０，２１のバネは着座シートが沈下している時２２，２３によって引っ張られているので絶えず反作用が働いている。２５の昇降固定装置から１３のレバーを握ってピンを抜くと、この反作用によって着座シート部全体は２０，２１のバネの力により上方に上がるモーメントが働いているので、入浴介助者が持ち上げようとした時、小さな力で軽く持ち上がる。
【産業上の利用可能性】
【００１３】以上説明したように本発明に係る入浴用車椅子は昇降装置とリクライニング装置を設け、リクライニング傾斜角の任意位置での固定、又昇降位置の任意位置での固定並びに、バネを設ける事による沈下速度の制御と着座シート持ち上げ時の省力化等、高齢者、障害者、介助介護者等の入浴に関する負担と入浴時の利用者の身体負担並びに介助者の労働を軽減する入浴用車椅子である。
【図面の簡単な説明】
【００１４】
【図１】本発明に係る入浴用車椅子装置の一例を示す斜視図である。
【図２】本発明に係る入浴用車椅子装置の一例を示す断面図である。
【符号の説明】
【００１５】１    背もたれ部
２    着座部
３    足掛け部
７    安全レバー
９    安全レバー
１０  リクライニングレバー
１２  リクライニングワイヤーケーブル
１３  昇降レバー
１５  昇降ワイヤーケーブル
１８  リクライニング傾斜固定装置
２０  昇降制御バネ
２１  昇降制御バネ
２２  バネ引張フレーム
２３  バネ引張フレーム
２５  昇降位置固定装置
【図１】
2007275509.tif 000003
【図２】
2007275509.tif 000004